(57)【要約】  吹出パネル（２０）及び吹出パネル（２０）を含む空調室内機（１）は、構造が簡単で、３６０°全周に亘る吹出しの実現に近づき、吹出口による吹出しが均一に近づく。吹出パネル（２０）は、外枠（２１）と内枠（２２）を有し、外枠（２１）と内枠（２２）により多角形の吹出口（ＣＦ）が囲まれている。吹出口（ＣＦ）の内には、案内羽根（２３）が設けられている。吹出パネル（２０）には、リンク（２４）が設けられている。リンク（２４）は、吹出口（ＣＦ）の角部からずれて、吹出パネル（２０）の中心方向から吹出口（ＣＦ）の角部へ延伸している。案内羽根（２３）は、案内羽根（２３）の長手方向と平行な状態で、リンク（２４）に枢動接続されている。
2019123894.tif 000002
【特許請求の範囲】
【請求項１】
外枠（２１）と、
内枠（２２）と、
案内羽根（２３）と、
リンク（２４）と、
を備え、
前記外枠（２１）と前記内枠（２２）により多角形の吹出口（ＣＦ）が囲まれており、
前記吹出口（ＣＦ）内に、前記案内羽根（２３）が設けられており、
前記リンク（２４）は、前記吹出口（ＣＦ）の角部からずれて、前記吹出パネル（２０）の中心方向から前記吹出口（ＣＦ）の角部へ延伸しており、
前記案内羽根（２３）の回動軸（２９）は、前記案内羽根の長手方向と平行な状態で、前記リンク（２４）に枢動接続されている、
吹出パネル（２０）。
【請求項２】
前記リンク（２４）は、前記外枠（２１）と前記内枠（２２）とを接続している、
請求項１に記載の吹出パネル。
【請求項３】
前記リンク（２４）は、前記吹出口（ＣＦ）の角部の角二等分線近傍に設けられている、
請求項１又は２に記載の吹出パネル。
【請求項４】
前記案内羽根（２３）は、
長尺状の羽根本体（２３１）と、
前記羽根本体と垂直であり、前記回動軸（２９）の一端が接続されている、固定片（２３２）と、
を有しており、
前記リンク（２４）は、前記リンクの長手方向と交差して突出した突片（２４３）を有しており、
前記回動軸（２９）の他端が、前記突片に枢動接続されている、
請求項１〜３のいずれか１項に記載の吹出パネル。
【請求項５】
前記リンク（２４）は、
リンク本体（２４１Ａ、２４１Ｂ）と、
接続部（２４２Ａ、２４２Ｂ）と、
を備え、
前記接続部（２４２Ａ、２４２Ｂ）は、前記リンク本体（２４１Ａ、２４１Ｂ）よりも前記吹出パネル（２０）の中心に位置し、かつ、前記リンク本体（２４１Ａ、２４１Ｂ）と前記内枠（２２）とを接続しており、
前記突片は、前記リンク本体（２４１Ａ、２４１Ｂ）に設けられている、
請求項４に記載の吹出パネル。
【請求項６】
前記突片（２４３）は、
前記リンク本体（２４１Ａ、２４１Ｂ）から前記吹出パネルの厚さ方向に沿って延伸している第１部分（２４３１）と、
前記第１部分と角度をなして延伸しており、前記固定片（２３２）と平行な第２部分（２４３２）と、
を有しており、
前記回動軸（２９）の他端は、前記第２部分に枢動接続されている、
請求項５に記載の吹出パネル。
【請求項７】
前記突片（２４３）は、前記固定片（２３２）よりも前記吹出口（ＣＦ）の角部に接近する、
請求項４〜６のいずれか１項に記載の吹出パネル。
【請求項８】
前記リンク（２４）は、前記吹出口（ＣＦ）の一辺に設けられた第１のリンク（２４Ａ）及び第２のリンク（２４Ｂ）を有しており、
前記吹出パネルの内面側から外面側へ見たときに、前記第２のリンク（２４Ｂ）は、前記第１のリンク（２４Ａ）の、吹出パネルの中心回りの時計回り方向の下流側に位置しており、
前記案内羽根（２３）に、前記第１のリンク（２４Ａ）及び第２のリンク（２４Ｂ）のそれぞれに枢動接続されている第１の回動軸（２９Ａ）と第２の回動軸（２９Ｂ）と、が設けられている、
請求項１〜７のいずれか１項に記載の吹出パネル。
【請求項９】
中間リンク（２５）をさらに備え、
前記案内羽根（２３）に、前記中間リンク（２５）に枢動接続されている中間回動軸が設けられており、
前記吹出パネル（２０）の厚さ方向から見たときに、前記中間リンク（２５）は、前記吹出口（ＣＦ）の中間に位置し、かつ、前記案内羽根（２３）と垂直であり、
前記中間リンク（２５）に、前記案内羽根（２３）の回動を駆動するステッピングモータが取り付けられている、
請求項８に記載の吹出パネル。
【請求項１０】
前記リンク（２４）は、リンク本体（２４１Ａ、２４１Ｂ）と、接続部（２４２Ａ、２４２Ｂ）とを有しており、
前記接続部（２４２Ａ、２４２Ｂ）は、前記リンク本体（２４１Ａ、２４１Ｂ）よりも前記吹出パネル（２０）の中心に位置し、かつ、前記リンク本体（２４１Ａ、２４１Ｂ）と前記内枠（２２）とを接続しており、
前記接続部（２４２Ａ、２４２Ｂ）と前記リンク本体（２４１Ａ、２４１Ｂ）とは、それぞれ、第１の面と第２の面とを有し、
前記吹出パネルの内面側から外面側へ見たときに、前記第１の面は、前記第２の面の、吹出パネルの中心回りの時計回り方向の下流側に位置しており、
前記接続部（２４２Ａ、２４２Ｂ）の第２の面（２４２１Ａ、２４２１Ｂ）は、前記リンク本体（２４１Ａ、２４１Ｂ）の第２の面（２４１１Ａ、２４１１Ｂ）と合わせて、内への凹形状を形成する、
請求項１〜７のいずれか１項に記載の吹出パネル。
【請求項１１】
前記リンク（２４）は、前記吹出口（ＣＦ）の一辺に設けられた第１のリンク（２４Ａ）及び第２のリンク（２４Ｂ）を有しており、
前記吹出パネルの内面側から外面側へ見たときに、前記第２のリンク（２４Ｂ）は、前記第１のリンク（２４Ａ）の、吹出パネルの中心回りの時計回り方向の下流側に位置しており、
前記吹出口（ＣＦ）の同一の角部の両側における前記第１のリンク（２４Ａ）と前記第２のリンク（２４Ｂ）とは、前記第１のリンク（２４Ａ）の前記リンク本体（２４１Ａ）が前記第２のリンク（２４Ｂ）の前記リンク本体（２４１Ｂ）と平行であるように形成されている、
請求項１〜７のいずれか１項に記載の吹出パネル。
【請求項１２】
前記内枠（２２）の中央には、導風片（２６１）が設けられた中央部材（２６）が設置されている、
請求項１〜１１のいずれか１項に記載の吹出パネル。
【請求項１３】
前記リンク（２４）は、リンク本体（２４１Ａ、２４１Ｂ）と、接続部（２４２Ａ、２４２Ｂ）と、を有しており、
前記接続部（２４２Ａ、２４２Ｂ）は、前記リンク本体（２４１Ａ、２４１Ｂ）よりも前記吹出パネル（２０）の中心に位置し、かつ、前記リンク本体（２４１Ａ、２４１Ｂ）と前記内枠（２２）とを接続しており、
前記リンク本体（２４１Ａ、２４１Ｂ）は、第１の面と、第２の面と、を有し、
前記吹出パネル（２０）の内面側から外面側へ見たときに、前記第１の面は、前記第２の面の、吹出パネルの中心回りの時計回り方向の下流側に位置しており、
前記導風片（２６１）の吸込み端（２６１Ａ）は、前記リンク本体（２４１Ａ、２４１Ｂ）の第１の面（２４１２Ａ、２４１２Ｂ）の延長線に位置している、
請求項１２に記載の吹出パネル。
【請求項１４】
室内機本体（１０）と、
請求項１〜１３のいずれか１項に記載の吹出パネル（２０）と、
を備え、
前記吹出パネル（２０）は、前記室内機本体（１０）と直接に接続されている、又は、ダクトを介して前記室内機本体（１０）に接続されている、
空調室内機。
【発明の詳細な説明】
【技術分野】
【０００１】
吹出パネル、および、その吹出パネルを含む空調室内機に関する。
【背景技術】
【０００２】
従来、回転軸線が上下方向に沿って延伸している軸流ファンが内部に設けられた室内機本体と、その室内機本体の下方に設けられており、案内羽根が内部に設けられた吹出口を有する吹出パネルと、を備えた空調室内機が存在している。【０００３】
上記の空調室内機において、吹出口による吹出し面積を増大させるために、配置の利便性を考慮して、方形の外枠と方形の内枠とを有し、かつ、外枠と内枠で囲まれた多角形の吹出口を有する吹出パネルを採用することが考えられる。【０００４】
しかし、この場合には、軸流ファンから発生した気流が吹出口の角部に吹き出されにくくなり、吹出口による吹出しが不均一となりやすい。【０００５】
また、上記の場合には、案内羽根を、どのように、簡単な構成で、吹出パネルに取り付けるかについて、考慮する必要もある。【０００６】
また、従来、ダクトによって、多角形の吹出パネルに接続されている空気処理機器が存在している。空気処理機器における送風部品から排出された螺旋気流は、ダクトを介して吹出パネルに送風される。その場合には、螺旋気流が吹出口の角部に吹き出されにくくなり、吹出口による吹出しが不均一となりやすい。
【発明の概要】
【０００７】
上記の技術的課題を解決するため、吹出パネルは、外枠と内枠を有している。外枠と内枠により、多角形の吹出口が囲まれている。吹出口の内には、案内羽根が設けられている。吹出パネルには、リンクが設けられている。リンクは、吹出口の角部からずれて、吹出パネルの中心方向から吹出口の角部へ延伸している。案内羽根の回動軸は、案内羽根の長手方向と平行な状態で、リンクに枢動接続されている。
【０００８】
ここでは、いわゆる「外枠と内枠により、多角形の吹出口が囲まれている」ことは、外枠と内枠の間に、空気を吹出し可能なすべての部分を合わせたほぼ多角形のものを形成したこと、を指す。また、いわゆる「吹出口の角部」とは、外枠と内枠の間に形成された空気を吹出し可能なすべての部分を合わせた多角形の角部、を指す。
【０００９】
上記構成の吹出パネルによれば、外枠と内枠で囲まれた多角形の吹出口が用いられたことで、例えば、軸流ファンが設けられた室内機本体を含む空調室内機などを使用する場合に、３６０°全周に亘る吹出しの実現に近づけることができる。そして、案内羽根が取り付けられたリンクが、吹出パネルの中心方向から吹出口の角部に延伸しているので、例えば、軸流ファンが設けられた室内機本体を含む空調室内機などを使用する場合に、軸流ファンなどから吹出された気流がリンクに沿って吹出口の角部に流れやすくなり、吹出口による吹出しが均一に近づく。
【００１０】
また、上記構成の吹出パネルによれば、案内羽根とリンクの接続構造が簡単になるため、回動時における案内羽根のリンクとの干渉を回避することができ、案内羽根をリンクに接続しやすくなる。
【００１１】
この吹出パネルでは、好ましくは、リンクは、外枠と内枠とを接続している。
【００１２】
上記構成の吹出パネルによれば、吹出パネル全体の強度が強くなり、他の接続部材を増加する必要がない。また、他の接続部材を増加した場合と比べると、他の接続部材による吹出口での気流への阻害を低減し、構造が簡単となるだけではなく、吹出パネルを増大させることも可能になる。
【００１３】
この吹出パネルでは、好ましくは、リンクは、吹出口の角部の角二等分線近傍に設けられている。
【００１４】
上記構成の吹出パネルによれば、例えば、軸流ファンが設けられた室内機本体を含む空調室内機などを使用する場合に、軸流ファンなどから吹出された気流がリンクに沿って吹出口の角部に流れやすくなり、吹出口による吹出しが均一に近づく。
【００１５】
この吹出パネルでは、好ましくは、案内羽根は、長尺状を呈している羽根本体と、羽根本体と垂直であり回動軸の一端が接続されている固定片と、を備える。リンクは、リンクの長手方向と交差して突出した突片を有し、回動軸の他端が、その突片に枢動接続される。
【００１６】
上記構成の吹出パネルによれば、簡単な構造によって、案内羽根とリンクとの枢動接続を実現することができる。
【００１７】
この吹出パネルでは、リンクは、リンク本体と接続部を備えるものであってもよい。接続部は、リンク本体よりも吹出パネルの中心に位置し、かつ、リンク本体と内枠とを接続している。そして、突片は、リンク本体に設けられている。
【００１８】
上記構成の吹出パネルによれば、吹出パネル全体の強度を強くするができ、他の接続部材を増加する必要がない。また、他の接続部材を増加した場合と比べると、他の接続部材による吹出口での気流への阻害を低減し、構造が簡単となるだけではなく、吹出パネルを増大させることも可能になる。案内羽根とリンクの接続構造が簡単となるため、案内羽根の回動時のリンクとの干渉を回避することができ、案内羽根をリンクに接続しやすくなる。
【００１９】
この吹出パネルでは、突片は、リンク本体から吹出パネルの厚さ方向に沿って延伸している第１部分と、その第１部分と角度をなして延伸しており固定片と平行な第２部分とを備えるものであってもよい。回動軸の他端は、第２部分に枢動接続される。
【００２０】
上記構成の吹出パネルによれば、突片の第１部分がリンク本体から吹出パネルの厚さ方向に沿って延伸しているので、例えば、軸流ファンが設けられた室内機本体を含む空調室内機などを使用する場合に、突片の第１部分とリンクとが共同で、軸流ファンなどから発生した気流を、吹出パネルの角部に案内することができる。そして、突片の第２部分が固定片とは平行であるため、回動軸の構造が簡単となるだけではなく、組み立てを行いやすくなり、組み立てられた構造がコンパクトであり、回動中における回動軸の摩損を低減することもできる。
【００２１】
この吹出パネルでは、突片は、固定片よりも吹出口の角部に接近する、という構成であってもよい。
【００２２】
上記構成の吹出パネルによれば、固定片及び回動軸の一端からの吹出口の角部での気流への阻害を低減することができる。
【００２３】
この吹出パネルでは、好ましくは、リンクは、吹出口の一辺に設けられた第１のリンク及び第２のリンクを備える。吹出パネルの内面側から外面側へ見たときに、第２のリンクは、第１のリンクの、吹出パネルの中心回りの時計回り方向の下流側に位置している。そして、案内羽根に、第１のリンク及び第２のリンクのそれぞれに枢動接続されている第１の回動軸と第２の回動軸、が設けられている。
【００２４】
ここでは、いわゆる「吹出パネルの外面」とは、吹出パネルが部屋などに取り付けられた場合の使用者に向かう面を指し、「吹出パネルの内面」とは、「吹出パネルの外面」との反対側の面を指す。
【００２５】
上記構成の吹出パネルによれば、吹出パネル全体の強度を強くすることができ、案内羽根の組立ての頑丈さを向上させ、案内羽根の反転中にさらに安定化される。
【００２６】
この吹出パネルでは、中間リンクがさらに設けられ、案内羽根に、当該中間リンクに枢動接続されている中間回動軸が設けられた構成を採ってもよい。吹出パネルの厚さ方向から見たときに、中間リンクは、吹出口の中間に位置し、かつ、案内羽根と垂直である。中間リンクには、案内羽根の回動を駆動するステッピングモータが取り付けられている。
【００２７】
上記構成の吹出パネルによれば、案内羽根が受ける力を均一に近づけることができる。これにより、安定性が良く、駆動構造も簡単となる。また、吹出口の外枠の位置にステッピングモータを設けることにより、吹出パネルの小型化にも有利である。
【００２８】
この吹出パネルでは、好ましくは、リンクは、リンク本体と接続部を備える。接続部は、リンク本体よりも吹出パネルの中心に位置し、かつ、リンク本体と内枠とを接続している。接続部とリンク本体は、それぞれ、第１の面と第２の面を有する。吹出パネルの内面側から外面側へ見たときに、第１の面は、第２の面の、吹出パネルの中心回りの時計回り方向の下流側に位置している。接続部の第２の面は、リンク本体の第２の面と合わせて、内への凹形状を形成する。
【００２９】
上記構成の吹出パネルによれば、リンク全体の強度を確保することができるだけではなく、リンクの体積を減少することもできる。例えば、軸流ファンが設けられた室内機本体を含む空調室内機などを使用する場合に、リンクの接続部からの軸流ファンなどが発生した気流への阻害を低減することができ、吹出口による吹出しが均一に近づく。そして、リンクの接続部の第２の面を用いて、軸流ファンなどが発生した気流を、リンク本体の第２の面を介して、吹出口の角部へ案内することが容易となり、吹出口の角部からも、気流が吹出されるようになり、さらに、吹出パネルによる３６０°に亘る吹出しを実現させる。
【００３０】
この吹出パネルでは、好ましくは、リンクは、吹出口の一辺に設けられた第１のリンク及び第２のリンクを備える。吹出パネルの内面側から外面側へ見たときに、第２のリンクは、第１のリンクの、吹出パネルの中心回りの時計回り方向の下流側に位置している。吹出口の同一の角部の両側における第１のリンクと第２のリンクは、第１のリンクのリンク本体が第２のリンクの前記リンク本体と平行であるように形成されている。
【００３１】
上記構成の吹出パネルによれば、吹出パネル全体の構造を簡素化することができ、リンクのリンク本体からの吹出口の角部での気流への阻害を低減することができ、吹出口による吹出しが均一に近づく。
【００３２】
この吹出パネルでは、好ましくは、内枠の中央には、導風片が設けられた中央部材が設置される。
【００３３】
上記構成の吹出パネルによれば、例えば、軸流ファンが設けられた室内機本体を含む空調室内機などを使用する場合に、導風片を用いて軸流ファンなどが発生した気流を案内することにより、気流が下向きに直接吹出されることを防止し、かつ、導風片により案内された気流がリンクに沿って吹出口の角部に流れるようになり、吹出口による吹出しが均一に近づく。
【００３４】
この吹出パネルでは、リンクは、リンク本体と接続部を備える構成であってもよい。接続部は、リンク本体よりも吹出パネルの中心に位置し、かつ、リンク本体と内枠とを接続している。リンク本体は、第１の面と第２の面を有する。吹出パネルの内面側から外面側へ見たときに、第１の面は、第２の面の、吹出パネルの中心回りの時計回り方向の下流側に位置している。導風片の吸込み端は、リンク本体の第１の面の延長線に位置している。
【００３５】
上記構成の吹出パネルによれば、吹出口の角部へ流れる気流をさらに確保することができ、吹出口による吹出しが均一に近づき、吹出パネルによる３６０°に亘る吹出しを実現することができる。
【００３６】
また、上記の技術的課題を解決するために、空調室内機は、室内機本体と、上記の吹出パネルと、を備える。吹出パネルは、室内機本体と直接に接続されている、又は、ダクトを介して室内機本体に接続されている。
【図面の簡単な説明】
【００３７】
【図１】空調室内機の全体構造を模式的に示す側断面図である。
【図２】空調室内機の吹出パネル及び中央部材を模式的に示す平面図である。
【図３】空調室内機の吹出パネル及び中央部材の局所構造を模式的に示す平面図である。
【図４】空調室内機の吹出パネルの局所構造を模式的に示す平面図であって、第１のリンク近傍の構造を示す。
【図５】空調室内機の吹出パネルの局所構造を模式的に示す平面図であって、第２のリンク近傍の構造を示す。
【図６】空調室内機の吹出パネルの局所構造を模式的に示す斜視図であって、そのうち、案内羽根が省略されている。
【図７】空調室内機の吹出パネルにおける案内羽根の接続構造を模式的に示す斜視図であって、そのうち、案内羽根の一部の図示が省略されている（ここでは、案内羽根が開放状態にある）。
【図８】空調室内機の吹出パネルの局所構造を模式的に示す斜視図である。
【図９】空調室内機の吹出パネルにおける案内羽根の接続構造を模式的に示す斜視図であって、そのうち、案内羽根の図示が省略されている。
【図１０】空調室内機の局所構造を模式的に示す側断面図である。
【発明を実施するための形態】
【００３８】
以下、図１〜１０を参照しながら、室内機本体と吹出パネルを備えた空調室内機を例にして、実際の装着状態に応じて、実施の形態を説明する。
【００３９】
ここでは、説明の便宜上、互いに直交する３つの方向を、Ｘ方向、Ｙ方向、Ｚ方向に設定し、そのうち、Ｘ方向とＹ方向は、空調室内機の実際の装着状態での水平面内の方向に対応し、Ｚ方向は、空調室内機の実際の装着状態での上下方向に対応する。Ｙ１方向側、Ｙ２方向側、Ｘ１方向側、Ｘ２方向側、Ｚ１方向側、および、Ｚ２方向側は、それぞれ、空調室内機の実際の装着状態での前側、後側、左側、右側、下側、および、上側に対応する。
【００４０】
図１に示すように、空調室内機１は、軸流ファン３０が内部に設けられた室内機本体１０と、室内機本体１０に接続されている吹出パネル２０とを備える（図示の例では、吹出パネル２０は室内機本体１０の下方に設けられている）。
【００４１】
ここでは、室内機本体１０は、全体からすると、略直方体の形状を呈しており、上面、底面及び４つの側面を有する。各側面には、吸気口ＪＦが設けられており、各吸気口ＪＰにて、フィルタ部品４０が設けられている。図１に示すように、室内機本体１０の内部には、熱交換器５０がさらに設けられている。熱交換器５０は、吸気口ＪＦの内側に設けられて、フィルタ部品４０によって囲まれている。また、熱交換器５０の内側には、軸流ファン３０が設けられている。軸流ファン３０は、回転軸線が吹出パネル２０の中心軸線Ｌ（すなわち、吹出パネル２０の中心を通って吹出パネル２０の厚さ方向に沿って延伸している軸線）と重なるように設けられている。
【００４２】
また、図１と図２に示すように、吹出パネル２０は、外枠２１と内枠２２を有している。外枠２１と内枠２２によって、多角形の吹出口ＣＦが囲まれている。吹出口ＣＦ内には、案内羽根２３が設けられている。吹出パネル２０には、リンク２４が設けられている。リンク２４は、吹出口ＣＦの角部からずれて（すなわち、リンク２４が吹出口ＣＦの角部の頂点を通過せずに）、吹出パネル２０の中心方向から吹出口ＣＦの角部へ延伸している。リンク２４には、案内羽根２３が回動可能に取り付けられている。
【００４３】
ここでは、図１と図２に示すように、吹出パネル２０の内面側から外面側へ見たときに、具体的には、吹出パネル２０の室内機本体１０の一方側（Ｚ２方向側）から室内機本体１０から離れた一方側（Ｚ１方向側）へ見たときに、リンク２４は、第１の面（図２中の時計回り方向の下流側）と第２の面（図２中の時計回り方向の上流側）を有する。軸流ファンなどが発生した気流は、順次、第２の面と第１の面を流れる。すなわち、第２の面は風上面であり、第１の面は風下面である。
【００４４】
ここでは、図２に示すように、吹出パネル２０は、略方形を呈しており、方形の外枠２１と、方形の内枠２２とを有している。外枠２１と内枠２２とによって、方形の吹出口ＣＦが囲まれている。吹出口ＣＦの各辺（各辺によって副吹出口が構成されている）にて、１組の案内羽根２３が設けられている。図２と図３に示すように、各組の案内羽根２３は、３枚の平行な案内羽根によって組み合わせられている。３枚の平行な案内羽根の長さは、吹出パネル２０の内枠２２から外枠２１への方向に沿って増加していくように設けられている。案内羽根２３が回動して吹出口ＣＦを開放させた場合に、案内羽根２３の両端での気流は、複数の案内羽根２３の端部に沿って下向きに徐々に拡散してしまい、平行に吹出されるものではない。したがって、案内羽根２３の両端での、流動速度が相対的に遅い気流は、天井に付着されなくなる。これにより、気流に挟まれた塵埃などの汚染物が天井に付着されてしまうことが、避けられる。そして、全体からすると、大部分の気流は、相変わらず、案内羽根２３によって案内されているので、気流が均一に分布している状態を依然として保持することができる。
【００４５】
また、図２に示すように、リンク２４は、外枠２１と内枠２２とを接続しており、吹出口ＣＦの角部の角二等分線近傍に設けられている（図示の例では、リンク２４は吹出口ＣＦの角部の角二等分線とは平行である）。そして、リンク２４は、吹出口の一辺に設けられた第１のリンク２４Ａ及び第２のリンク２４Ｂを備えている。Ｚ方向に沿って見たときに（具体的には、図２の視点から見たときに）、吹出口ＣＦの一辺の吹出パネル２０の中心を通った垂直線ＣＸは、第１のリンク２４Ａの、吹出パネルの中心回りの時計回り方向の下流側に位置している。第２のリンク２４Ｂは、垂直線ＣＸの、吹出パネルの中心回りの時計回り方向の下流側に位置している。そのため、第１のリンク２４Ａと第２のリンク２４Ｂとをそれぞれ用いて、軸流ファンなどが発生した気流を吹出口ＣＦの２つの角部に案内することができ、吹出口ＣＦの２つの角部での気流はともに、均一に分布している状態に近づく。
【００４６】
また、図１〜図３に示すように、軸流ファン３０の下方であって吹出パネル２０の上方に、中央部材２６が設けられている（図示の例では、軸流ファン３０に向かって突起した形状を呈しているが、それに限られず、その形状は必要に応じて適宜変更されてもよい）。中央部材２６には、導風片２６１が設けられている。導風片２６１の吸込み端の端点は、リンク２４のリンク本体の延長線に位置している。
【００４７】
また、図２に示すように、Ｚ方向に沿って見たときに、導風片２６１は、弧状である。導風片２６１は、第１の導風片２６１Ａと、第２の導風片２６１Ｂとを有している。Ｚ方向に沿って見たときに（具体的には、図２の視点から見たときに）、第１の導風片２６１Ａは、第２の導風片２６１Ｂの、吹出パネルの中心回りの時計回り方向の上流側に位置している。
【００４８】
ここでは、図２に示すように、吹出口ＣＦの一辺には、１つの第１のリンク２４Ａと、１つの第２のリンク２４Ｂと、が設けられている。そして、１つの第１の導風片２６１Ａと、１つの第２の導風片２６１Ｂと、が設けられている。
【００４９】
図２と図４に示すように、第１のリンク２４Ａは、案内羽根２３が回動可能に設けられたリンク本体２４１Ａと、接続部２４２Ａと、を備えている。接続部２４２Ａは、リンク本体２４１Ａよりも吹出パネル２０の中心方向に位置しており、リンク本体２４１Ａと内枠２２とを接続している。また、Ｚ方向に沿って見たときに、接続部２４２Ａの第２の面２４２１Ａは、リンク本体２４１Ａの第２の面２４１１Ａと合わせて、内への凹形状を形成する。ここでは、図６と図８に示すように、接続部２４２Ａは、リンク本体２４１Ａの延伸方向に沿って略延伸している第１部分２４２３Ａと、その第１部分２４２３Ａを内枠２２に接続している第２部分２４２４Ａと、を有している。そのうち、第１部分と第２部分は、ともに、案内作用を奏する案内面を有する。具体的には、第１部分２４２３Ａと第２部分２４２４Ａの吹出パネルの中心方向に接近する端面は、ともに、弧状の案内面である。また、第２部分２４２４Ａの吹出パネルの中心方向から離れた端面は、吹出口ＣＦの角部に向かって延伸している面取り面である（すなわち、吹出口ＣＦの角部に近ければ近いほど、風上側の面と風下側の面が近くなる）。この面取り面は、軸流ファンなどが発生した気流を、吹出口ＣＦの角部へ案内する。
【００５０】
図２と図５に示すように、第２のリンク２４Ｂは、案内羽根２３が回動可能に設けられたリンク本体２４１Ｂと、接続部２４２Ｂとを備えている。接続部２４２Ｂは、リンク本体２４１Ｂよりも吹出パネル２０の中心方向に位置しており、リンク本体２４１Ｂと内枠２２とを接続している。また、Ｚ方向に沿って見たときに、接続部２４２Ｂの第２の面２４２１Ｂは、リンク本体２４１Ｂの第２の面２４１１Ｂと合わせて、内への凹形状を形成する。同様に、図８に示すように、接続部２４２Ｂは、リンク本体２４１Ｂの延伸方向に沿って略延伸している第１部分２４２３Ｂと、その第１部分２４２３Ｂを内枠２２に接続している第２部分２４２４Ｂと、を有している。そのうち、第１部分と第２部分は、ともに、案内作用を奏する案内面を有する。具体的には、第１部分２４２３Ｂと第２部分２４２４Ｂの吹出パネルの中心方向に接近する端面は、ともに、弧状の案内面である。第２部分２４２４Ｂの吹出パネルの中心方向から離れた端面は、吹出口ＣＦの角部に向かって延伸している面取り面である。この面取り面は、軸流ファンなどが発生した気流を、吹出口ＣＦの角部へ案内する。
【００５１】
ここでは、図４に示すように、第１のリンク２４Ａにおいて、リンク本体２４１Ａの第２の面２４１１Ａである風上面と、第１の面２４１２Ａである風下面とは、略平面である。接続部２４２Ａの第２の面２４２１Ａと、第１の面２４２２Ａとは、略平面である。リンク本体２４１Ａの第２の面２４１１Ａは、接続部２４２Ａの第２の面２４２１Ａと交差している。リンク本体２４１Ａの第１の面２４１２Ａは、接続部２４２Ａの第１の面２４２２Ａと略面一であるか、あるいは、第２の面よりも大きい鈍角を形成している。このため、導風片から案内された気流を、接続部２４２Ａの第１の面２４２２Ａに沿ってリンク本体２４１２Ａへ案内させ、さらに、吹出口ＣＦの角部へ案内させることができる。同様に、図５に示すように、第２のリンク２４Ｂにおいて、リンク本体２４１Ｂの第２の面２４１１Ｂである風上面と、第１の面２４１２Ｂである風下面は、略平面である。接続部２４２Ｂの第２の面２４２１Ｂと、第１の面２４２２Ｂとは、略平面である。リンク本体２４１Ｂの第２の面２４１１Ｂは、接続部２４２Ｂの第２の面２４２１Ｂと交差している。リンク本体２４１Ｂの第１の面２４１２Ｂは、接続部２４２Ｂの第１の面２４２２Ｂと略面一であるか、あるいは、風上面よりも大きい鈍角を形成している。このため、導風片から案内された気流を、接続部２４２Ｂの第１の面２４２２Ｂに沿ってリンク本体２４１２Ｂへ案内させ、さらに、吹出口ＣＦの角部へ案内させることができる。
【００５２】
しかも、図４と図５に示すように、第１のリンク２４Ａにおいて、接続部２４２Ａの第２の面２４２１Ａは、リンク本体２４１Ａの第２の面２４１１Ａと鈍角をなす。また、第２のリンク２４Ｂにおいて、接続部２４２Ｂの第２の面２４２１Ｂは、リンク本体２４１Ｂの第２の面２４１１Ｂと鈍角をなす。このため、軸流ファンなどが発生した気流は、接続部２４２Ａ、２４２Ｂに沿ってリンク本体２４１Ａ、２４１Ｂへ流れるときに、気流の方向が緩やかに変化する。これにより、接続部２４２Ａ、２４２Ｂの第２の面２４２１Ａ、２４２１Ｂと、リンク本体２４１Ａ、２４１Ｂの第２の面２４１１Ａ、２４１１Ｂとの接続部にて、乱流が形成されにくくなる。
【００５３】
また、図６〜図９に示すように、第１のリンク２４Ａにおいて、案内羽根２３の回動軸２９は、略水平の状態でリンク本体２４１Ａに枢動接続されている。具体的には、案内羽根２３は、長尺状の羽根本体２３１と、固定片２３２と、を備える。固定片２３２は、羽根本体２３１と垂直であって、回動軸２９の一端が接続されている。第１のリンク２４Ａは、第１のリンク２４Ａの長手方向と交差して突出した突片２４３を有している。突片２４３は、回動軸２９を支持する支持部を構成する。回動軸２９の他端は、突片２４３に枢動接続されている。図示の例では、突片２４３は、リンク本体２４１Ａに設けられており、固定片２３２よりも吹出口ＣＦの角部に近い。接続部２４２Ａとリンク本体２４１Ａとの境界が、内枠２２と回動軸２９との間に位置するため、案内羽根２３が安定的に回動するようになる。そして、突片２４３は、リンク本体２４１Ａから吹出パネル２０の厚さ方向に沿って延伸している第１部分２４３１と、第２部分２４３２とを備える。第２部分２４３２は、第１部分２４３１と角度をなして延伸しており、固定片２３２とは平行である。回動軸２９の他端は、第２部分２４３２に枢動接続されている。
【００５４】
同様に、図６〜図９に示すように、第２のリンク２４Ｂにおいて、案内羽根２３の回動軸は、略水平の状態でリンク本体２４１Ｂに枢動接続されている。具体的には、案内羽根２３は、長尺状を呈している羽根本体２３１と、固定片２３２と、を備える。固定片２３２は、羽根本体２３１とは垂直であり、回動軸２９の一端が接続されている。第２のリンク２４Ｂは、第２のリンク２４Ｂの長手方向と交差して突出した突片２４３を有している。突片２４３は、回動軸２９を支持する支持部を構成する。回動軸２９の他端は、突片２４３に枢動接続されている。図示の例では、突片２４３は、リンク本体２４１Ｂに設けられており、固定片２３２よりも吹出口ＣＦの角部に近い。接続部２４２Ｂとリンク本体２４１Ｂとの境界は、内枠２２と回動軸２９との間に位置するため、案内羽根２３が安定的に回動する。そして、突片２４３は、リンク本体２４１Ｂから吹出パネル２０の厚さ方向に沿って延伸している第１部分２４３１と、第２部分２４３２と、を備える。第２部分２４３２は、第１部分２４３１と角度をなして延伸しており、固定片２３２とは平行である。回動軸２９の他端は、第２部分２４３２に枢動接続されている。
【００５５】
しかも、図７と図９に示すように、回動軸２９には、バッファリング２９１が一体形成されている。バッファリング２９１は、案内羽根２３の取付状態において、固定片２３２と突片２４３の間に位置している。バッファリング２９１は、固定片２３２と突片２４３との間の摩擦による、案内羽根の枢動回転の詰まり、または、固定片などの摩損の加速化、を防止する。ここでは、回動軸２９の他端が中空の構造であって、４枚にも分けられているので、弾性変形の空間を形成することができ、案内羽根２３の着脱にも便利である。回動軸２９の一端は、固定片２３２と一体成形されてもよいし、固定片２３２に固定接着されてもよい。
【００５６】
また、図２、図６及び図７に示すように、同一の案内羽根２３の長手方向の両端には、それぞれ、回動軸２９を介して、第１のリンク２４Ａと第２のリンク２４Ｂに設けられた突片２４３が枢動接続されている。このため、案内羽根２３が安定的に回動する。そして、第１のリンク２４Ａと第２のリンク２４Ｂに設けられた突片２４３は、それぞれ、案内羽根の両端に設けられた固定片２３２よりも、吹出口ＣＦの角部に近い場所に設けられている。すなわち、案内羽根２３の両端における固定片２３２は、それぞれ、第１のリンク２４Ａと第２のリンク２４Ｂの異なる側に設けられている。このため、固定片２３２が第１のリンク２４Ａと第２のリンク２４Ｂの同一側に設けられた場合と比べて、回動軸２９が突片２４３から脱落してしまうことが抑制される。
【００５７】
また、図２に示すように、吹出口ＣＦの同一の角部の両側における第１のリンク２４Ａと第２のリンク２４Ｂとは、第１のリンク２４Ａのリンク本体が第２のリンク２４Ｂのリンク本体とは平行であるように、形成されている。
【００５８】
また、図２と図３に示すように、導風片２６１の吸込み端は、リンク２４のリンク本体の第１の面の延長線に位置しており、導風片２６１の吹出端は、リンク２４よりも垂直線ＣＸに近い。具体的には、第１の導風片２６１Ａの吸込み端２６１ＡＡは、第１のリンク２４Ａのリンク本体２４１Ａの第１の面２４１２Ａの延長線ＹＣ１に位置している。第２の導風片２６１Ｂの吸込み端２６１ＡＢは、第２のリンク２４Ｂのリンク本体２４１Ｂの第１の面２４１２Ｂの延長線ＹＣ２に位置している。第１の導風片２６１Ａの吹出端２６１ＢＡは、第１のリンク２４Ａよりも垂直線ＣＸに近い。第２の導風片２６１Ｂの吹出端２６１ＢＢは、第２のリンク２４Ｂよりも垂直線ＣＸに近い。そして、第２の導風片２６１Ｂの風下面における垂直線ＣＸから最も離れた点Ｘは、第２のリンク２４Ｂの接続部２４２Ｂの第２の面２４２１Ｂの延長線ＹＣ３に位置している。このため、第２の導風片２６１Ｂの吸込み端の風下面から案内された気流は、第２のリンク２４１Ｂの第１の面に沿って吹出パネルＣＦの角部へ流れる。また、第２の導風片２６１Ｂの吹出端の風下面から案内された気流は、第２のリンク２４１Ｂの接続部２４２Ｂの第２の面２４２１Ｂへ流れる。
【００５９】
ここでは、図２と図３に示すように、吹出パネル２０には、中間リンク２５がさらに設けられている。中間リンク２５は、外枠２１と内枠２２とを接続している。Ｚ方向に沿って見たときに、中間リンク２５は、吹出口ＣＦの中間に位置しており、かつ、案内羽根２３とは垂直である。中間リンク２５には、案内羽根２３の回動を駆動するステッピングモータ（図示せず）が取り付けられている。第１のリンク２４Ａと第２のリンク２４Ｂは、中間リンク２５に対して略対称に設けられている。
【００６０】
ここでは、図１０に示すように、空調室内機１の作動時、案内羽根２３は、吹出パネル２０の外面に対して所定の角度まで反転され、吹出パネルの厚さ方向において、案内羽根２３（の最上方のエッジ）とリンク２４（のリンク本体）との間には、軸流ファンなどが発生した気流が流れるための隙間がある。好ましくは、案内羽根２３が吹出パネル２０の外面に対して最大角度（例えば、７５°、９０°など）まで反転された場合であっても、案内羽根２３（の最上方のエッジ）とリンク２４（のリンク本体）との間に、約５ｍｍの隙間が確保される。もちろん、気流が流れる経路を拡大させるために、吹出パネルの小型化に影響を与えないことを前提として、この隙間は、５ｍｍよりも長くなってもよい。そして、案内羽根２３が反転されてもリンクとは干渉しないことを確保するために、この隙間は、５ｍｍよりも短くなってもよい。
【００６１】
また、図１０に示すように、水平方向から見たときに、導風片２６１は、リンク２４とは少なくとも一部が重なっている。ここでは、Ｚ方向において、リンク２４は、導風片２６１の中部に位置している。軸流ファンなどが発生した気流は、導風片２６１の風上面を介して、リンク２４の接続部へ流れて、リンク本体に沿って吹出口ＣＦの角部に案内されている。
【００６２】
そして、図１０に示すように、Ｚ方向において、中央部材２６の少なくとも一部が、吹出パネル２０から突出している。このため、中央部材２６に導風片２６１を設けやすくなる。また、中央部材２６が弧状の導風面を有するため、軸流ファンなどが発生した気流を吹出口ＣＦへ案内することができる。
【００６３】
また、図１と図１０に示すように、空調室内機１は、軸流ファン３０を囲んで設けられた辺枠部材２８をさらに備える。中央部材２６は、支持ロッド２６２を有し、かつ、その支持ロッド２６２を介して辺枠部材２８に接続されている。そして、図２と図３に示すように、Ｚ方向に沿って見たときに、支持ロッド２６２は、導風片２６１とリンク２４との間に位置する。図１０に示すように、水平方向に沿って見たときに、導風片２６１の少なくとも一部は、支持ロッド２６２とずらして設けられている（図示の例では、支持ロッド２６２は、導風片２６１の所在側から径方向の外側へ上向きに延伸している）。そして、支持ロッド２６２の軸流ファン３０に向かう一方側が弧状の面であるため、軸流ファンなどが発生した気流への阻害を低減しつつ、気流を案内することができる。
【００６４】
また、図２に示すように、吹出パネル２０には、ウェザストリップ２７がさらに設けられている。ウェザストリップ２７は、吹出口ＣＦの各角部に設けられており、外枠２１と内枠２２とを接続している。ウェザストリップを用いて、周方向に隣接した案内羽根により案内された気流を隔てることにより、周方向に隣接した案内羽根により案内された気流が吹出口にて互いに干渉してしまうのを回避し、さらに、吹出口での気流を改善することができる。
【００６５】
本実施形態では、空調室内機１の軸流ファン３０の作動時、気流は、軸流ファン３０による作用で、吸込み口ＪＰから室内機本体１０内に吸い込まれて、フィルタ部品４０と熱交換器５０を順次に流れて、空調室内機１の中心部へ流れる。そして、気流は、軸流ファン３０を流れて螺旋状の気流を形成し、下方の中央部材２６へ流れる。その後、気流は、中央部材２６の弧状の導風面によって案内されて、吹出パネル２０の中心から四周へ、吹出口ＣＦまで拡散し、そのうち、一部の気流が、中央部材２６に設けられた導風片２６１により、吹出口ＣＦの角部へ案内される。その気流は、支持ロッド２６２の下方から流れて、リンク２４を介して吹出口ＣＦの角部へ案内される。最後には、気流が、吹出口ＣＦを流れる。吹出口ＣＦに設けられた案内羽根２３は、モータにより駆動されて所定の角度まで反転され、気流を空調室内機１の外部へ案内させる。
【００６６】
本実施形態における空調室内機１によれば、吹出パネル２０は、外枠２１と内枠２２により、多角形の吹出口ＣＦが囲まれている。このため、３６０°全周に亘る吹出しの実現が可能である。そして、案内羽根２３が取り付けられたリンク２４が、吹出パネル２０の中心方向から吹出口ＣＦの角部に延伸しているので、軸流ファン３０から吹出された気流は、リンク２４に沿って吹出口ＣＦの角部に流れやすくなり、吹出口ＣＦによる吹出しを均一に近づける。
【００６７】
また、案内羽根２３の回動軸２９がリンク２４に枢動接続されているので、案内羽根２３とリンク２４の接続構造が簡単となり、案内羽根の回動時のリンクとの干渉を回避することもできる。これにより、案内羽根をリンクに接続しやすくなる。
【００６８】
また、本実施形態における空調室内機１によれば、リンク２４が、外枠２１と内枠２２とを接続しているので、吹出パネル２０全体の強度が強くなる。
【００６９】
また、本実施形態における空調室内機１によれば、リンク２４が、吹出口ＣＦの角部の角二等分線近傍に設けられている。具体的には、リンク２４が、吹出口ＣＦの角部の角二等分線とは平行であるように設けられている。そのため、軸流ファン３０から吹出される気流は、さらに、リンク２４に沿って吹出口ＣＦの角部へ流れやすくなり、吹出口ＣＦによる吹出しを均一に近づけさせる。
【００７０】
また、本実施形態における空調室内機１によれば、Ｚ方向に沿って見たときに、リンク２４の接続部のリンク本体から離れた一方側の端部が、弧状である。このため、リンク２４の接続部のリンク本体から離れた一方側の端部からの、軸流ファン３０が発生した気流、への阻害を低減することができる。端部が弧状であることにより、軸流ファンなどが発生した気流を吹出口ＣＦの角部へ案内することができ、吹出口ＣＦによる吹出しを均一に近づけさせる。
【００７１】
また、本実施形態における空調室内機１によれば、Ｚ方向に沿って見たときに、リンク２４の接続部の幅は、リンク本体の一方側に向かって徐々に狭くなったので、リンク２４全体の強度が確保されるだけではなく、リンク２４の体積を減少することができ、リンク２４の接続部からの軸流ファン２４が発生した気流への阻害を低減することに助かり、吹出口ＣＦによる吹出しを均一にさせる。
【００７２】
また、本実施形態における空調室内機１によれば、Ｚ方向に沿って見たときに、リンク２４の接続部の第２の面が、リンク本体の第２の面と合わせて、内への凹形状を形成する。このため、リンク２４の接続部の第２の面を用いて、軸流ファン３０が発生した気流を、リンク本体の第２の面を介して吹出口ＣＦの角部へ案内することが容易となる。これにより、吹出口の角部からも気流が吹出されるようになり、さらに、吹出パネルによる３６０°に亘る吹出しが実現に近づく。
【００７３】
また、本実施形態における空調室内機１によれば、リンク２４の接続部の第２の面が、リンク本体の第２の面とは鈍角を為している。このため、リンク２４の接続部の第２の面による、軸流ファン３０が発生した気流への案内効果、を確保することができる。また、リンク２４の接続部とリンク本体からの、軸流ファン３０が発生した気流への阻害、を低減することができる。これによって、吹出口ＣＦによる吹出しが均一に近づく。
【００７４】
また、本実施形態における空調室内機１によれば、吹出口ＣＦの同一の角部の両側における第１のリンク２４Ａと第２のリンク２４Ｂとは、第１のリンク２４Ａのリンク本体２４１Ａが第２のリンク２４Ｂのリンク本体２４１Ｂと平行であるように、形成されている。このため、吹出パネル２０全体の構造を簡素化することができ、また、リンク２４のリンク本体からの吹出口ＣＦの角部での気流への阻害を低減することができる。これによって、吹出口ＣＦによる吹出しが均一に近づく。
【００７５】
また、本実施形態における空調室内機１によれば、中間リンク２５には、案内羽根２３の回動を駆動するステッピングモータが取り付けられている。このため、案内羽根２３が受ける力が均一に近づき、駆動構造を簡素化することができる。また、吹出口の外枠にステッピングモータが設けられたことにより、吹出パネルの小型化にも有利である。
【００７６】
また、本実施形態における空調室内機１によれば、内枠２２の中央には、中央部材２６が設けられている。そして、中央部材２６には、導風片２６１が設けられている。このため、導風片２６１を用いて軸流ファン３０が発生した気流を案内することにより、気流が下向きに直接に吹出されることが抑制され、吹出口ＣＦによる吹出しが均一に近づく。
【００７７】
また、本実施形態における空調室内機１によれば、導風片２６１の吸込み端は、リンク２４のリンク本体の第１の面の延長線に位置している。このため、吹出口ＣＦの角部へ流れる気流をさらに確保することができ、吹出口ＣＦによる吹出しが均一に近づき、吹出パネルによる３６０°に亘る吹出しが実現される。
【００７８】
また、本実施形態における空調室内機１によれば、Ｚ方向において、リンク２４は、導風片２６１の中部に位置している。このため、導風片２６１とリンク２４との相互作用が補強され、吹出口ＣＦの角部へ流れる気流が確保され、吹出口ＣＦによる吹出しが均一に近づく。
【００７９】
以上、各図面を結び付けながら、吹出パネルおよび空調室内機を例示的に記述してきたが、吹出パネルおよび空調室内機の具体的な実現は、上記実施形態によって制限されていない。
【００８０】
例えば、上記実施形態では、室内機本体と、室内機本体の下方に設けられた吹出パネルとを備えた空調室内機を例にして説明しているが、それに限られない。吹出パネルが、ダクトを介して空気処理機器に接続され、空気処理機器における送風部品から排出された螺旋気流がダクトを介して吹出パネルに送風され、さらに、吹出パネルから排出される構成であって、その吹出パネルおよび空調室内機であってもよい。
【００８１】
また、上記実施形態では、室内機本体１０は、全体からすると、略直方体の形状であるが、室内機本体の形状は、状況に応じて、適宜変更されてもよい。例えば、略円柱形状に形成されてもよいし、四角柱以外の角柱形状などに形成されてもよい。同様に、上記実施形態では、吹出パネル２０は、Ｚ方向から見たときに、略方形であるが、吹出パネルの形状は、状況に応じて、適宜変更されてもよい。例えば、Ｚ方向から見たときに略円形を呈していてもよいし、Ｚ方向から見たときに四角形以外の多角形などの形状に形成されてもよい。
【００８２】
また、上記実施形態では、吹出口ＣＦが方形であるが、それに限られず、吹出口は多角形に形成さればよい。
【００８３】
また、上記実施形態では、室内機本体１０の各側面には、吸込み口ＪＦが設けられており、かつ、各吸込み口ＪＦにて、フィルタ部品４０が設けられているが、吸込み口及びフィルタ部品の数は必要に応じて適宜調整されてもよい。
【００８４】
また、上記実施形態では、吹出口ＣＦの一辺には、１つの第１のリンク２４Ａと、１つの第２のリンク２４Ｂと、が設けられており、１つの第１の導風片２６１Ａと、１つの第２の導風片２６１Ｂと、が設けられている。しかし、これについても、吹出口ＣＦの一辺に設けられている第１のリンク２４Ａ、第２のリンク２４Ｂ、第１の導風片２６１Ａ、第２の導風片２６１Ｂの数は、必要に応じて変更されてもよい。
【００８５】
また、上記実施形態では、リンク２４は、外枠２１と内枠２２とを接続している。しかし、このような構成に限られず、リンク２４は、外枠２１と内枠２２のうちの一方のみに接続されてもよい。
【００８６】
また、上記実施形態では、リンク２４は、第１のリンク２４Ａと、第２のリンク２４Ｂと、を備える。しかし、これに限られず、リンク２４は、第１のリンク２４Ａと第２のリンク２４Ｂのうちの一方のみを備えてもよい。同様に、上記実施形態では、導風片２６１は、第１の導風片２６１Ａと第２の導風片２６１Ｂを備えるが、それに限らず、導風片２６１は、第１の導風片２６１Ａと第２の導風片２６１Ｂのうちの一方のみを備えてもよい。
【００８７】
また、上記実施形態では、第１のリンク２４Ａにおいて、リンク本体２４１Ａの第２の面２４１１Ａと、第１の面２４１２Ａと、が略平面であり、接続部２４２Ａの第２の面２４２１Ａと、第１の面２４２２Ａと、が略平面である。そして、第２のリンク２４Ｂにおいて、リンク本体２４１Ｂの第２の面２４１１Ｂと、第１の面２４１２Ｂと、が略平面であり、接続部２４２Ｂの第２の面２４２１Ｂと、第１の面２４２２Ｂと、が略平面である。しかし、それらに限られず、リンク本体２４１Ａの第２の面２４１１Ａ、第１の面２４１２Ａ、接続部２４２Ａの第２の面２４２１Ａ、第１の面２４２２Ａは、他の形状に形成されてもよい。（例えば、Ｚ方向から見たときに、弧状、折れ線形などに形成されてもよい）。また、リンク本体２４１Ｂの第２の面２４１１Ｂ、第１の面２４１２Ｂ、接続部２４２Ｂの第２の面２４２１Ｂと第１の面２４２２Ｂは、他の形状に形成されてもよい（例えば、Ｚ方向から見たときに、弧状、折れ線形などに形成されてもよい）。
【００８８】
また、上記実施形態では、吹出口ＣＦの同一の角部の両側における第１のリンク２４Ａと第２のリンク２４Ｂとは、第１のリンク２４Ａのリンク本体が第２のリンク２４Ｂのリンク本体とは平行であるように、形成されている。しかし、これに限られず、第１のリンク２４Ａのリンク本体と第２のリンク２４Ｂのリンク本体とは、平行ではないように形成されてもよい。
【００８９】
また、上記実施形態では、Ｚ方向から見たときに、導風片２６１は弧状である。しかし、それに限られず、導風片の形状は、必要に応じて適宜変更されてもよい。
【００９０】
また、上記実施形態では、導風片２６１の吸込み端は、リンク２４のリンク本体の第１の面の延長線に位置している。しかし、それに限られず、導風片の吸込み端は、ほぼリンクのリンク本体の延伸方向に位置していてもよい。
【００９１】
また、上記実施形態では、回動軸２９の具体的な形式は、必要に応じて適宜変更されてもよい。例えば、回動軸２９は、簡単なロッド状または筒状の部材であってもよいし、継手であってもよい。
【符号の説明】
【００９２】
１    空調室内機
１０    室内機本体
２０    吹出パネル
２１    外枠
２２    内枠
２３    案内羽根
２３１    羽根本体
２３２    固定片
２４    リンク
２４Ａ  第１のリンク
２４Ｂ  第２のリンク
２４１Ａ  リンク本体
２４１Ｂ  リンク本体
２４１１Ａ  第２の面
２４１１Ｂ  第２の面
２４１２Ａ  第１の面
２４１２Ｂ  第１の面
２４２Ａ  接続部
２４２Ｂ  接続部
２４２１Ａ  第２の面
２４２１Ｂ  第２の面
２４２２Ａ  第１の面
２４２２Ｂ  第１の面
２４２３Ａ  接続部の第１部分
２４２３Ｂ  接続部の第１部分
２４２４Ａ  接続部の第２部分
２４２４Ｂ  接続部の第２部分
ＸＭＡ    面取り面
ＸＭＢ    面取り面
２４３    突片
２４３１    突片の第１部分
２４３２    突片の第２部分
２５    中間リンク
２６    中央部材
２６１    導風片
２６１Ａ  第１の導風片
２６１Ｂ  第２の導風片
２６２    支持ロッド
２７    辺枠部材
２９    回動軸
２９１    バッファリング
３０    軸流ファン
４０    フィルタ部品
５０    熱交換器
Ｌ    中心軸線
ＣＸ    垂直線
ＹＣ１  延長線
ＹＣ２  延長線
ＹＣ３  延長線
【図１】
2019123894.tif 000003
【図２】
2019123894.tif 000004
【図３】
2019123894.tif 000005
【図４】
2019123894.tif 000006
【図５】
2019123894.tif 000007
【図６】
2019123894.tif 000008
【図７】
2019123894.tif 000009
【図８】
2019123894.tif 000010
【図９】
2019123894.tif 000011
【図１０】
2019123894.tif 000012
【国際調査報告】
2019123894.tif 000013
2019123894.tif 000014
2019123894.tif 000015
2019123894.tif 000016